(57)【特許請求の範囲】
【請求項１】
内部に排水路を有する筒状体と、前記筒状体の側壁に一体又は別体として設けられる給電部を備えたアンテナと、前記筒状体の外側を覆う外筒体と、前記外筒体と上竪樋とを接続する接続体とを備え、
前記接続体は前記接続体の周方向の一部が外側に突出した突設部を有する形状をし、前記突設部の内部に前記外筒体の内部と連通した空洞が形成され、前記上竪樋と前記筒状体とは前記接続体を介して連通接続し、
前記接続体には、前記給電部から前記外筒体の内部と前記突設部の前記空洞を通って延設される竪樋側ケーブルと屋内から延設される屋内側ケーブルとを接続するための接続部の屋内側ケーブル接続部分が前記突設部の下面に設けられ、
前記竪樋側ケーブルの先端は前記接続部の竪樋側ケーブル接続部分に接続され、前記屋内側ケーブルの先端が略上方を向く状態で前記屋内側ケーブル接続部分にて接続され、
前記屋内側ケーブルの前記接続部側先端に前記接続部を被覆する防水キャップが装着され、
前記防水キャップを保持する保持部材が前記接続体に設けられることを特徴とする竪樋アンテナ取付構造。
【請求項２】
前記突設部の下面で前記接続部の外周の近傍にて、前記接続部の中心方向に向かって開口したスライド受け部が設けられ、前記保持部材の上端の周方向の一部がフランジ状のスライド部となり、前記スライド部が前記スライド受け部にスライド移動し、係止されることを特徴とする請求項１記載の竪樋アンテナ取付構造。
【発明の詳細な説明】
【技術分野】
【０００１】
本発明は、竪樋アンテナの給電部から延設される竪樋側ケーブルと、屋内から延設される屋内側ケーブルとを接続する接続部と、屋内側ケーブルの先端とを被覆する防水キャップを保持する竪樋アンテナ取付構造に関する。
【背景技術】
【０００２】
従来から、竪樋に取付けられる竪樋取付用のアンテナで、アンテナを後付で取付けるものが知られている（例えば特許文献１参照）。
【先行技術文献】
【特許文献】
【０００３】
【特許文献１】特開平０１−１６８１０１号公報
【発明の概要】
【発明が解決しようとする課題】
【０００４】
ところで、特許文献１に記載されている竪樋取付用アンテナでは、新たにアンテナを設置し、アンテナの向きを微調整する場合、アンテナを持ち上げながらアンテナの向きを変えなければならず、その作業は困難であった。そのため、アンテナの向きを変え易い構造が提案された。
【０００５】
その構造は、回動体と保持体とで構成されている回動支持部と、樋控え具と凹溝部と突条とで構成されている回転固定部とで形成される。そして、アンテナの向きを回動体に係合する樋体を回動させるにより微調整し、樋控え具でその状態を維持させることができる。
【０００６】
また、内部に排水路を有する筒状体と、筒状体の外側を覆う外筒体とを備え、竪樋と外筒体とを接続し、周方向の一部が突出した突設部をもつ接続体を有している。筒状体の側壁にはアンテナが一体又は別体で備えられており、アンテナの給電部からアンテナで受信した信号を屋内へ伝送するために、ケーブルが用いられる。そのケーブルの先端には水の浸入を防ぐための防水キャップが取付けられる。しかしながら、防水キャップは風や振動等により、防水キャップの係止が外れ徐々に下降する、ということが起こりうる。
【０００７】
本発明は上記従来の問題点に鑑みて発明したものであって、その目的とするところは、防水キャップを外側から保持し、下降し難くする竪樋アンテナ取付構造を提供することを課題とするものである。
【課題を解決するための手段】
【０００８】
上記課題を解決するために、本発明は、以下のような構成とする。
【０００９】
内部に排水路を有する筒状体と、前記筒状体の側壁に一体又は別体として設けられる給電部を備えたアンテナと、前記筒状体の外側を覆う外筒体と、前記外筒体と上竪樋とを接続する接続体とを備え、前記接続体は前記接続体の周方向の一部が外側に突出した突設部を有する形状をし、前記突設部の内部に前記外筒体の内部と連通した空洞が形成され、前記上竪樋と前記筒状体とは前記接続体を介して連通接続し、前記接続体には、前記給電部から前記外筒体の内部と前記突設部の前記空洞を通って延設される竪樋側ケーブルと屋内から延設される屋内側ケーブルとを接続するための接続部の屋内側ケーブル接続部分が前記突設部の下面に設けられ、前記竪樋側ケーブルの先端は前記接続部の竪樋側ケーブル接続部分に接続され、前記屋内側ケーブルの先端が略上方を向く状態で前記屋内側ケーブル接続部分にて接続され、前記屋内側ケーブルの前記接続部側先端に前記接続部を被覆する防水キャップが装着され、前記防水キャップを保持する保持部材が前記接続体に設けられることを特徴とする。
【００１０】
前記突設部の下面で前記接続部の外周の近傍にて、前記接続部の中心方向に向かって開口したスライド受け部が設けられ、前記保持部材の上端の周方向の一部がフランジ状のスライド部となり、前記スライド部が前記スライド受け部にスライド移動し、係止されることが好ましい。
【発明の効果】
【００１１】
本発明の竪樋アンテナ取付構造は、保持部材が防水キャップを外側から保持し、保持部材が下降し難くすることができる。
【図面の簡単な説明】
【００１２】
【図１】本発明の第一実施形態の要部斜視図である。
【図２】本発明の第一実施形態の接続体の分解斜視図である。
【図３】本発明の第一実施形態の接続体のカバー部を外した状態の斜視図である。
【図４】本発明の第一実施形態の竪樋アンテナの分解斜視図である。
【図５】本発明の第一実施形態のアンテナの斜視図である。
【図６】本発明の第一実施形態の保持部材を外した時の要部斜視図である。
【図７】本発明の第一実施形態のスライド受け部の拡大断面斜視図である。
【図８】本発明の第一実施形態の防水キャップの斜視図である。
【図９】本発明の第一実施形態の保持部材の斜視図である。
【図１０】本発明の第二実施形態の要部斜視図である。
【図１１】本発明の第二実施形態のねじ構造の斜視図である。
【図１２】本発明の第三実施形態の保持部材の斜視図である。
【図１３】本発明の第一実施形態の竪樋アンテナ取付構造の全体図である。
【発明を実施するための形態】
【００１３】
以下、本発明を添付図面に示す実施形態に基いて説明する。
【００１４】
本実施形態の竪樋アンテナ４は、図１３に示されるように建物の外壁に沿って設置されている。また、竪樋の中心方向を内側方向、外向きの方向を外側方向とする。
【００１５】
竪樋アンテナ取付構造は、新設する又は改装の際に竪樋の一部に後述する竪樋アンテナ４を取付けるものである。軒樋６０には集水器６２が設けられており、集水器６２には、エルボ６３を介して呼び樋６４が接続されている。呼び樋６４には、エルボ６５を介して上流側の上竪樋６６が接続されている。上竪樋６６から竪樋アンテナ４を介して、竪樋アンテナ４の下流側に下竪樋６７が設けられている。そして、上竪樋６６と竪樋アンテナ４とを接続する接続体３が竪樋アンテナ４の上流側に設けられ、下竪樋６７と竪樋アンテナ４とを接続する下接続体６８が竪樋アンテナ４の下流側に設けられる。下竪樋６７は、下流側の端部が排水筒６９に連通接続されている。本実施形態の竪樋アンテナ取付構造においては、竪樋アンテナ４の上端部が、接続体３を介して上竪樋６６の下端に接続され、竪樋アンテナ４の下端部が、下接続体６８を介して下竪樋６７の上端に接続される。
【００１６】
図４に示すように接続体３と下接続体６８との間には上竪樋６６より径が大きい外筒体４１と、外筒体４１の内部には給電部４４ａを備えたアンテナ４４と、アンテナ４４を一体又は別体として設けられる筒状体４２とが備えられている。そして、筒状体４２の内部には排水路４３が形成されている。外筒体４１と筒状体４２と排水路４３とを合わせた総称を竪樋アンテナ４とする。なお、排水路４３は筒状体４２がその機能を有してもよく、また本実施形態のように別体として設けられてもよい。
【００１７】
図２に示すように、接続体３は、筒状体４２の上端に固定されかつ排水路４３に連通接続される集水部３１と、集水部３１の周囲を回転する回転部３２と、この回転部３２を覆うカバー部３３と、回転部３２及びカバー部３３の回転を規制するロック部３４とを備えている。カバー部３３には、上方に開口する流入口３５を有している。
【００１８】
集水部３１は、上竪樋６６から流入した雨水を集水して、雨水を排水路４３に流通させる。
【００１９】
回転部３２は、集水部３１の上端部に回転自在に設けられている。回転部３２とカバー部３３には、接続部３７（図３参照）を取付けるために設けられた突設部３６を有している。接続体３の突設部３６の内部には、竪樋側ケーブル４４ｂ（図３参照）が挿通する空洞３１１を有している。突設部３６は、外筒体４１の側壁よりも側方に突設している。
【００２０】
図３に示すように、回転部３２には、竪樋側ケーブル４４ｂのアンテナ４４側とは反対側の端部が接続される接続部３７が取付けられている。接続部３７は、突設部３６の底部３６ａ（すなわち回転部３２の底部）上下に挿通され、底部３６ａから下方に突出している。接続部３７の上部を竪樋側ケーブル接続部分３７ａ、接続部３７の下部を屋内側ケーブル接続部分３７ｂ（図１３参照）とする。屋内側ケーブル接続部分３７ｂは、突設部３６の下面から外部に露出している。なお、竪樋側ケーブル接続部分３７ａの形状は、竪樋側ケーブル４４ｂの先端のコネクタの形状に合うように設けられていてもよく、またそれに限定されない。また、屋内側ケーブル接続部分３７ｂも同様の事が言え、屋内側ケーブル６１の先端の形状に合わせて設けられていてもよく、またそれに限定されない。図６に示すように、屋内側ケーブル接続部分３７ｂは円筒状の下保護部３８に囲まれた第１凹部３８ａとなっており、図３に示すように、竪樋側ケーブル接続部分３７ａも円筒状の上保護部３９に囲まれており第２凹部３９ａとなっている。
【００２１】
図２に示すように、カバー部３３は回転部３２を覆うように形成されている。カバー部３３は、その天面部に流入口３５が設けられている。流入口３５は、上竪樋６６の外径よりも大きく形成されており、上竪樋６６に回動自在に遊嵌される。
【００２２】
ロック部３４は、回転部３２とカバー部３３の回転を、流入口３５の中心軸廻りの位置でロックする。ロック部３４は、平面視円環状をしており、流入口３５内に回転自在となるよう設けられる。
【００２３】
図４に示すように、アンテナ４４は、筒状体４２の側壁に設けられており、取付部材５により固定される。アンテナ４４は、導電性を有する金属板材（金属箔も含まれる）により形成されている。アンテナ４４は、縦長矩形状の金属板材を短辺方向がＣ字状となるよう長辺方向に一様に湾曲させることで形成される。
【００２４】
図５に示すように、給電部４４ａには、竪樋側ケーブル４４ｂが電気的に接続される。本実施形態ではスロットアンテナを使用しており、竪樋側ケーブル４４ｂは、中央の線が一方の給電部４４ａとしての三角状片に接続され且つ外側の網線が他方の三角状片に接続されるが、これに限定されない。
【００２５】
図４に示すように、取付部材５は、平面視円環状に形成されている。取付部材５は、第１の部材５１と、第２の部材５２とに分割され、これらが着脱自在に連結される。
【００２６】
図８に示すように、防水キャップ２は円筒状となっており、段階的に径が小さくなり、径が一番太い部分を最大部２１、屋内側ケーブル６１と略同じになる部分を最小部２２、とする。最大部２１の下部近傍には周方向に突起２３が設けられている。また、防水キャップ２の材質は、ゴム等の弾性と撥水に富んだものがよい。
【００２７】
最小部２２が屋内側ケーブル６１のケーブル部を収縮力で保持している。また、最大部２１の上端は防水キャップ２の内側に向ってフランジ状となっている。そして、第１凹部３８ａの中へ最大部２１の上端を挿入すると、最大部２１の上端の収縮力により屋内側ケーブル接続部分３７ｂが押圧され、屋内側ケーブル接続部分３７ｂと最大部２１の上端が接続される。
【００２８】
防水キャップ２を保持する保持部材１は接続体３の、屋内側ケーブル６１の接続部３７側の先端に取付けられている。そして、防水キャップ２が下降し難くする部材である。まず、第一実施形態について図１に基づいて説明する。
【００２９】
本実施形態では、図６に示すように突設部３６の下面で屋内側ケーブル接続部分３７ｂの外周の近傍に、屋内側ケーブル接続部分３７ｂの中心に向かって開口したスライド受け部３１０が２個設けられているが、これに限定されない。スライド受け部３１０は、図７に示すように突設部３６の下面より略垂直に下方へ突出した突出片３１０ａが設けられ、突出片３１０ａの先端（下端）から屋内側ケーブル接続部分３７ｂの中心方向に向って、水平片３１０ｂが突出している。スライド受け部３１０は保持部材１を接続体３に係止するために用いられる。
【００３０】
図９に示すように保持部材１は平面視Ｃ字状であり、且つ正面視矩形状をしたもので、正面から視た両側端部にはそれぞれ、周方向に進む程中心側に滑らかに曲がる係止爪１１が２本設けられている。係止爪１１が設けられている部分の保持部材１の径は防水キャップ２の径より小さくなっており、防水キャップ２を保持できる形状となっている。なお、本実施形態では係止爪１１が２本であるが、これに限定されない。また、係止爪１１は全周に亘って設けられず、隙間１２が設けられるのが好ましい。これにより、屋内側ケーブル６１と防水キャップ２を接続部３７に係止した後でも、屋内側ケーブル６１のケーブル部分が隙間１２を挿通することにより保持部材１を取付けることができる。
【００３１】
保持部材１の上部の内径は、防水キャップ２の径より径が大きい下保護部３８の外径に合わせており、これを径大部１３とし、保持部材１の上部以外は径小部１４とする。係止爪１１は径小部１４に設けられ、防水キャップ２の突起２３と係止の関係になる係止溝１５が保持部材１の内面に設けられている。防水キャップ２の突起２３と保持部材１の係止溝１５により、防水キャップ２がさらに下降し難くなっている。
【００３２】
径大部１３の上端はフランジ状のスライド部１６となっている。スライド部１６は、スライド受け部３１０に滑り込むような形状となっており、保持部材１を接続体３に係止するために用いられる。なお、スライド部１６が設けられる中心角と、スライド受け部３１０が設けられる中心角とを足し合わせた角度が３６０°未満となっている。
【００３３】
本実施形態の竪樋アンテナ取付構造では、保持部材１を接続体３へと接続する際に、保持部材１のスライド部１６を突設部３６に設けられたスライド受け部３１０に、スライド移動させ係止するので、係止を行い易い。
【００３４】
次に、第二実施形態について図９、図１０に基づいて説明する。なお、本実施形態については図１に示す上記第一実施形態と大部分について同じであるため、同じ構成については同符号を付して説明を省略し、主に異なる部分について説明する。
【００３５】
第二実施形態では、図１１に示すように径大部１３が全周に亘って設けられており、内面には、めねじ１７が設けられている。そして、下保護部３８の外面には、おねじ３８ｂが設けられる。径大部１３と下保護部３８は図１０に示すように螺合され、接続体３と保持部材１が接続される。
【００３６】
本実施形態の竪樋アンテナ取付構造では、保持部材１を接続体３へ接続する際に、径大部１３と下保護部３８とが螺合されるので、保持部材１が外れ難い構造となっている。
【００３７】
次に、第三実施形態について図１２に基づいて説明する。なお、本実施形態については図１に示す上記第一実施形態と図９、図１０に示す上記第二実施形態と大部分について同じであるため、同じ構成については同符号を付して説明を省略し、主に異なる部分について説明する。
【００３８】
保持部材１の上端はフランジ状となっている。保持部材１の内面には押圧突起１８が上下方向に設けられている。このため、保持部材１を接続体３に取付ける際、保持部材１が押圧突起１３の高さの分だけ竪樋の内側方向に移動するので、係止爪１１も内側方向に移動し、係止爪１１が防水キャップ２を保持する力を高めることができる。
【符号の説明】
【００３９】
１    保持部材
１１  係止爪
１２  隙間
１３  径大部
１４  径小部
１５  係止溝
１６  スライド部
１７  めねじ
１８  押圧突起
２    防水キャップ
２１  最大部
２２  最小部
２３  突起
３    接続体
４    竪樋アンテナ
５    取付部材
【図１】
0005793676.tif 000002
【図２】
0005793676.tif 000003
【図３】
0005793676.tif 000004
【図４】
0005793676.tif 000005
【図５】
0005793676.tif 000006
【図６】
0005793676.tif 000007
【図７】
0005793676.tif 000008
【図８】
0005793676.tif 000009
【図９】
0005793676.tif 000010
【図１０】
0005793676.tif 000011
【図１１】
0005793676.tif 000012
【図１２】
0005793676.tif 000013
【図１３】
0005793676.tif 000014